(57)【要約】【課題】  各種の被記録媒体や様々な環境変化による被記録媒体の搬送速度の線速のばらつきへの対応力が強く、搬送されて記録画像が形成される被記録媒体の位置ずれやショックジターに対して、安定な制御が行われて高品質の記録画像の形成が行われるようにする被記録媒体搬送装置、及び、その被記録媒体搬送装置を具備する画像形成装置を提供する。【解決手段】  給送される被記録媒体Ｐを回動して搬送する被記録媒体搬送手段１と、被記録媒体搬送手段１が搬送経路を搬送する被記録媒体Ｐに当接して案内する際の被記録媒体Ｐのたるみにより移動する搬送案内移動部材２と、搬送案内移動部材２の移動する移動量で被記録媒体搬送手段１が被記録媒体Ｐを回動して搬送する搬送速度を調節する搬送速度調節手段３とを具備する。【選択図】        図１
2006240756.tif 000002
【特許請求の範囲】
【請求項１】
給送される被記録媒体を搬送する被記録媒体搬送装置において、給送される被記録媒体を回動して搬送する被記録媒体搬送手段と、上記被記録媒体搬送手段が搬送経路を搬送する被記録媒体に当接して案内する際の被記録媒体のたるみにより移動する搬送案内移動部材と、上記搬送案内移動部材の移動する移動量で被記録媒体搬送手段が被記録媒体を回動して搬送する搬送速度を調節する搬送速度調節手段とを具備することを特徴とする被記録媒体搬送装置。
【請求項２】
請求項１に記載の被記録媒体搬送装置において、被記録媒体搬送手段は、被記録媒体が搬送される搬送経路における搬送案内移動部材の上流側に配置された上流側被記録媒体搬送手段と、上記搬送案内移動部材の下流側に配置された下流側被記録媒体搬送手段とを具備することを特徴とする被記録媒体搬送装置。
【請求項３】
請求項１又は２に記載の被記録媒体搬送装置において、搬送案内移動部材は、固定して被記録媒体を案内する搬送案内固定部材と対向して搬送経路を介して配置したことを特徴とする被記録媒体搬送装置。
【請求項４】
請求項１、２又は３に記載の被記録媒体搬送装置において、搬送案内移動部材は、搬送案内移動部材の移動する移動量を検知する移動量検知部材を具備することを特徴とする被記録媒体搬送装置。
【請求項５】
請求項１、２、３又は４に記載の被記録媒体搬送装置において、搬送案内移動部材は、被記録媒体のたるみにより移動する前の位置に戻す戻し部材を具備することを特徴とする被記録媒体搬送装置。
【請求項６】
請求項５に記載の被記録媒体搬送装置において、戻し部材は、偏心カムを具備することを特徴とする被記録媒体搬送装置。
【請求項７】
搬送される被記録媒体に記録画像を形成する画像形成装置において、搬送される被記録媒体に記録画像を形成する画像形成部と、上記画像形成部で記録画像を形成する被記録媒体を搬送する上記請求項１、２、３、４、５又は６に記載の被記録媒体搬送装置とを具備することを特徴とする画像形成装置。
【請求項８】
請求項７に記載の画像形成装置において、上記画像形成部は、記録画像を形成する被記録媒体を搬送する複数個の被記録媒体搬送装置を具備することを特徴とする画像形成装置。
【請求項９】
請求項８に記載の画像形成装置において、画像形成部は、電子写真方式の作像プロセスでトナーの記録画像を形成することを特徴とする画像形成装置。
【請求項１０】
請求項９に記載の画像形成装置において、上流側被記録媒体搬送手段は、被記録媒体を所定のタイミングに同期して転写手段に搬送するレジストローラを兼用することを特徴とする画像形成装置。
【請求項１１】
請求項１０に記載の画像形成装置において、下流側被記録媒体搬送手段は、被記録媒体に記録画像を回動して転写する転写手段を兼用することを特徴とする画像形成装置。
【請求項１２】
請求項１１に記載の画像形成装置において、転写手段は、二次転写ローラであることを特徴とする画像形成装置。
【請求項１３】
請求項９、１０、１１又は１２に記載の画像形成装置において、上流側被記録媒体搬送手段は、被記録媒体に記録画像を回動して転写する転写手段も兼用することを特徴とする画像形成装置。
【請求項１４】
請求項１３に記載の画像形成装置において、転写手段は、二次転写ローラであることを特徴とする画像形成装置。
【請求項１５】
請求項１３又は１４に記載の画像形成装置において、下流側被記録媒体搬送手段は、被記録媒体上に形成したトナーの記録画像を回動して定着する定着手段も兼用することを特徴とする画像形成装置。
【請求項１６】
請求項１５に記載の画像形成装置において、定着手段は、被記録媒体上に形成したトナーの記録画像を加熱する加熱ローラと、上記加熱ローラに被記録媒体上に形成したトナーの記録画像を加圧する加圧ローラとを具備することを特徴とする画像形成装置。
【発明の詳細な説明】
【技術分野】
【０００１】
本発明は、被記録媒体搬送装置と、その被記録媒体搬送装置を具備する画像形成装置に関する。詳しくは、本発明は、給送される被記録媒体を搬送する被記録媒体搬送装置、及び、その被記録媒体搬送装置を具備するインクジェットプリンタ等の印刷機や電子写真方法の作像プロセスでトナーの記録画像を形成する複写機、ファクシミリ装置、プリンタあるいはこれらの複合機等の画像形成装置に関する。
【背景技術】
【０００２】
従来の被記録媒体搬送装置を具備する画像形成装置においては、給送される被記録媒体の記録用紙が搬送ガイド板の間を案内されてレジストローラ等の搬送ローラによって搬送されるようになっている。
図９は、従来の被記録媒体搬送装置を具備する画像形成装置の主要部を説明する説明図である。
図９において、画像形成装置１５０が具備する被記録媒体搬送装置１００において、給紙カセット１５２にセットされた被記録媒体Ｐが、給紙コロ１５２ａによって給送され、給紙ガイド板１５２ｂと給紙ガイド板１５２ｃの間を通り、被記録媒体搬送装置１００の搬送ローラであるレジストローラ１５１ｈとレジスト従動ローラ１５１ｈ１に搬送される。
レジストローラ１５１ｈでタイミングを取るために、図示していないモータによって、一旦停止し、再度搬送された後、搬送ガイド板１５１ｉの搬送ガイド板１５１ｉ１と搬送ガイド板１５１ｉ２、入口ガイド板１５１ｉ３の間を通り、画像形成部１５１における図示の矢印（Ａ）方向に回動するように中間転写ベルト１５１ｇを回動駆動する搬送ローラである中間転写駆動ローラ１５１ｇ１と転写手段１５１ｅの二次転写ローラ１５１ｅ２の間を通過する。
中間転写ベルト１５１ｇは、中間転写駆動ローラ１５１ｇ１、中間転写従動ローラ１５１ｇ２、入口ローラ１５１ｇ３に張架されて、図示の矢印（Ａ）方向に回動する周りに複数の一次転写ローラ１５１ｅ１やクリーニング手段１５１ｆ等が配置されている。
中間転写駆動ローラ１５１ｇ１と二次転写ローラ１５１ｅ２の間を通過した後に、搬送ガイド板１５１ｉ４と搬送ガイド板１５１ｉ５の間を通り、搬送ローラでもある定着手段１５１ｊの加熱定着ローラ１５１ｊ１と加圧ローラ１５１ｊ２のニップ部を通過して、排出ローラ１５１ｋから排紙トレイ１５３に排出されて収納される構成になっている。
従来の被記録媒体搬送装置を具備する画像形成装置において、レジストローラ部、中間転写駆動ローラ部、加熱定着ローラと加圧ローラ部での被記録媒体Ｐの搬送速度の線速は、レジストローラ部＞中間転写駆動ローラ部＞加熱定着ローラと加圧ローラ部の構成に制御して、被記録媒体Ｐの搬送速度の線速差により発生する位置ずれ、中間転写ベルト部でのショックジターの発生を防止するようになっている。
この記録用紙の搬送速度の線速を制御する上で、レジストローラ部での記録用紙のたるみ量は、搬送ガイド板の形状によるものが主であり、これでは、随時変更する対応がとりにくい欠点があった。
電子写真方式によって画像形成を行う画像形成部と、インクジェット方式によって画像形成を行う画像形成部と、用紙を収納しかつ給紙する給紙部とを有し、インクジェット方式によって画像形成を行う画像形成部の搬送ローラ対が搬送する用紙を電子写真方式によって画像形成を行う画像形成部のレジストローラ対にガイドするガイド板を回動可能に構成し、停止状態のニップ部に用紙先端が到達してからガイド板を開放して用紙のたるみ部分をガイド板の外部に送り出し、被記録媒体Ｐの搬送速度の線速差を吸収できる程度の長さのたるみが形成されてからタイミングを推し量ってレジストローラ対が転写ローラに用紙を搬送するようにして、電子写真方式とインクジェット方式の画像形成部を有する画像形成装置において、印刷速度をより向上させることは公知である（特許文献１を参照）。
このように、記録用紙の搬送速度の線速を２種類もつ機構に対し、用紙のたるみ量を形成させる手段としてガイド板の開閉を行っている。
【特許文献１】特開２００１−１５４５５８公報
【発明の開示】
【発明が解決しようとする課題】
【０００３】
然し、これでは各種の記録用紙やいろいろな環境による記録用紙の搬送速度の線速のばらつきに弱く、対応力が低く、搬送されて記録画像が形成される記録用紙の位置ずれやショックジターに対して不安定な制御が行われる場合もあった。
このため、従来の被記録媒体搬送装置を具備する画像形成装置においては、各種の被記録媒体の記録用紙や様々な環境変化による記録用紙の搬送速度の線速のばらつきに弱く、対応力が低く、搬送されて記録画像が形成される被記録媒体の記録用紙の位置ずれやショックジターに対して不安定な制御が行われて形成される画像品質も低下すると言う不具合が生じていた。
そこで本発明の課題は、このような問題点を解決するものであり、各種の被記録媒体や様々な環境変化による被記録媒体の搬送速度の線速のばらつきへの対応力が強く、搬送されて記録画像が形成される被記録媒体の位置ずれやショックジターに対して、安定な制御が行われて高品質の記録画像の形成が行われるようにする被記録媒体搬送装置、及び、その被記録媒体搬送装置を具備する画像形成装置を提供することを目的とする。
【課題を解決するための手段】
【０００４】
上記目的を達成するために、請求項１に記載の本発明は、給送される被記録媒体を搬送する被記録媒体搬送装置において、給送される被記録媒体を回動して搬送する被記録媒体搬送手段と、上記被記録媒体搬送手段が搬送経路を搬送する被記録媒体に当接して案内する際の被記録媒体のたるみにより移動する搬送案内移動部材と、上記搬送案内移動部材の移動する移動量で被記録媒体搬送手段が被記録媒体を回動して搬送する搬送速度を調節する搬送速度調節手段とを具備する被記録媒体搬送装置であることを特徴とする。
又は請求項２に記載の本発明は、請求項１に記載の被記録媒体搬送装置において、被記録媒体搬送手段は、被記録媒体が搬送される搬送経路における搬送案内移動部材の上流側に配置された上流側被記録媒体搬送手段と、上記搬送案内移動部材の下流側に配置された下流側被記録媒体搬送手段とを具備する被記録媒体搬送装置であることを特徴とする。
又は請求項３に記載の本発明は、請求項１又は２に記載の被記録媒体搬送装置において、搬送案内移動部材は、固定して被記録媒体を案内する搬送案内固定部材と対向して搬送経路を介して配置した被記録媒体搬送装置であることを特徴とする。
又は請求項４に記載の本発明は、請求項１、２又は３に記載の被記録媒体搬送装置において、搬送案内移動部材は、搬送案内移動部材の移動する移動量を検知する移動量検知部材を具備する被記録媒体搬送装置であることを特徴とする
又は請求項５に記載の本発明は、請求項１、２、３又は４に記載の被記録媒体搬送装置において、搬送案内移動部材は、被記録媒体のたるみにより移動する前の位置に戻す戻し部材を具備する被記録媒体搬送装置であることを特徴とする。
又は請求項６に記載の本発明は、請求項５に記載の被記録媒体搬送装置において、戻し部材は、偏心カムを具備する被記録媒体搬送装置であることを特徴とする。
又は請求項７に記載の本発明は、搬送される被記録媒体に記録画像を形成する画像形成装置において、搬送される被記録媒体に記録画像を形成する画像形成部と、上記画像形成部で記録画像を形成する被記録媒体を搬送する上記請求項１、２、３、４、５又は６に記載の被記録媒体搬送装置とを具備する画像形成装置であることを特徴とする。
又は請求項８に記載の本発明は、請求項７に記載の画像形成装置において、上記画像形成部は、記録画像を形成する被記録媒体を搬送する複数個の被記録媒体搬送装置を具備する画像形成装置であることを特徴とする。
又は請求項９に記載の本発明は、請求項８に記載の画像形成装置において、画像形成部は、電子写真方式の作像プロセスでトナーの記録画像を形成する画像形成装置であることを特徴とする。
又は請求項１０に記載の本発明は、請求項９に記載の画像形成装置において、上流側被記録媒体搬送手段は、被記録媒体を所定のタイミングに同期して転写手段に搬送するレジストローラを兼用する画像形成装置であることを特徴とする。
又は請求項１１に記載の本発明は、請求項１０に記載の画像形成装置において、下流側被記録媒体搬送手段は、被記録媒体に記録画像を回動して転写する転写手段を兼用する画像形成装置であることを特徴とする。
又は請求項１２に記載の本発明は、請求項１１に記載の画像形成装置において、転写手段は、二次転写ローラである画像形成装置であることを特徴とする。
又は請求項１３に記載の本発明は、請求項９、１０、１１又は１２に記載の画像形成装置において、上流側被記録媒体搬送手段は、被記録媒体に記録画像を回動して転写する転写手段も兼用する画像形成装置であることを特徴とする。
又は請求項１４に記載の本発明は、請求項１３に記載の画像形成装置において、転写手段は、二次転写ローラである画像形成装置であることを特徴とする。
又は請求項１５に記載の本発明は、請求項１３又は１４に記載の画像形成装置において、下流側被記録媒体搬送手段は、被記録媒体上に形成したトナーの記録画像を回動して定着する定着手段も兼用する画像形成装置であることを特徴とする。
又は請求項１６に記載の本発明は、請求項１５に記載の画像形成装置において、定着手段は、被記録媒体上に形成したトナーの記録画像を加熱する加熱ローラと、上記加熱ローラに被記録媒体上に形成したトナーの記録画像を加圧する加圧ローラとを具備する画像形成装置であることを特徴とする。
【発明の効果】
【０００５】
請求項１の発明によれば、各種の被記録媒体や様々な環境変化による被記録媒体の搬送速度の線速のばらつきへの対応力が強く、搬送されて記録画像が形成される被記録媒体の位置ずれやショックジターに対して、安定な制御が行われて高品質の記録画像の形成が行われるようにする被記録媒体搬送装置を提供することが出来るようになった。
請求項２の発明によれば、各種の被記録媒体や様々な環境変化による被記録媒体の搬送速度の線速のばらつきへの対応力が強く、確実に搬送されて記録画像が形成される被記録媒体の位置ずれやショックジターに対して、更に、安定な制御が行われて高品質の記録画像の形成が行われるようにする被記録媒体搬送装置を提供することが出来るようになった。
請求項３の発明によれば、各種の被記録媒体や様々な環境変化による被記録媒体の搬送速度の線速のばらつきへの対応力が強く、確実に搬送経路を搬送されて記録画像が形成される被記録媒体の位置ずれやショックジターに対して、更に、安定な制御が行われて高品質の記録画像の形成が行われるようにする被記録媒体搬送装置を提供することが出来るようになった。
請求項４の発明によれば、搬送案内移動部材の移動量が確実に計測されて、各種の被記録媒体や様々な環境変化による被記録媒体の搬送速度の線速のばらつきへの対応力が強く、搬送されて記録画像が形成される被記録媒体の位置ずれやショックジターに対して、安定な制御が行われて高品質の記録画像の形成が行われるようにする被記録媒体搬送装置を提供することが出来るようになった。
【０００６】
請求項５の発明によれば、搬送経路を搬送される被記録媒体が搬送案内移動部材を通過するたびに搬送案内移動部材が初期状態の位置に戻されて、各種の被記録媒体や様々な環境変化による被記録媒体の搬送速度の線速のばらつきへの対応力が強く、搬送経路を搬送されて記録画像が形成される被記録媒体の位置ずれやショックジターに対して、安定な制御が行われて高品質の記録画像の形成が行われるようにする被記録媒体搬送装置を提供することが出来るようになった。
請求項６の発明によれば、搬送経路を搬送される被記録媒体が搬送案内移動部材を通過するたびに搬送案内移動部材が初期状態の位置に簡単な機構で戻されて、各種の被記録媒体や様々な環境変化による被記録媒体の搬送速度の線速のばらつきへの対応力が強く、搬送経路を搬送されて記録画像が形成される被記録媒体の位置ずれやショックジターに対して、安定な制御が行われて高品質の記録画像の形成が行われるようにする被記録媒体搬送装置を提供することが出来るようになった。
請求項７の発明によれば、各種の被記録媒体や様々な環境変化による被記録媒体の搬送速度の線速のばらつきへの対応力が強く、搬送されて記録画像が形成される被記録媒体の位置ずれやショックジターに対して、安定な制御が行われて高品質の記録画像の形成が行われる画像形成装置を提供することが出来るようになった。
請求項８の発明によれば、各種の被記録媒体や様々な環境変化による被記録媒体の搬送速度の線速のばらつきへの対応力が強く、確実に搬送されて記録画像が形成される被記録媒体の位置ずれやショックジターに対して、更に、安定な制御が行われて高品質の記録画像の形成が行われる画像形成装置を提供することが出来るようになった。
【０００７】
請求項９の発明によれば、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる画像形成装置を提供することが出来るようになった。
請求項１０の発明によれば、上流側被記録媒体搬送手段はレジストローラを兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
請求項１１の発明によれば、上流側被記録媒体搬送手段はレジストローラを下流側被記録媒体搬送手段は転写手段を兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
請求項１２の発明によれば、上流側被記録媒体搬送手段はレジストローラを下流側被記録媒体搬送手段は転写手段の二次転写ローラを兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
【０００８】
請求項１３の発明によれば、上流側被記録媒体搬送手段は転写手段も兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
請求項１４の発明によれば、上流側被記録媒体搬送手段は転写手段の二次転写ローラも兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
請求項１５の発明によれば、上流側被記録媒体搬送手段は転写手段も下流側被記録媒体搬送手段は定着手段も兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
請求項１６の発明によれば、上流側被記録媒体搬送手段は転写手段も下流側被記録媒体搬送手段は定着手段の加熱ローラと加圧ローラも兼用して、各種の被記録媒体や様々な環境変化による被記録媒体の搬送速度の線速のばらつきへの対応力が強く、確実に搬送されて記録画像が形成される被記録媒体の位置ずれやショックジターに対して、安定な制御が行われて、高速で、更に、高品質の記録画像の形成が行われる低コストの画像形成装置を提供することが出来るようになった。
【発明を実施するための最良の形態】
【０００９】
以下、本発明の実施の形態は、図面を参照して詳細に説明する。
図１は、本発明の実施形態に係る被記録媒体搬送装置を説明する説明図である。
図２は、本発明の実施形態に係る被記録媒体搬送装置の主要部の状態を説明する説明図である。
図１と図２に示すように、給送される被記録媒体を搬送する被記録媒体搬送装置０は、図示の矢印（Ｂ）方向に給送される被記録媒体（記録用紙）Ｐを回動して搬送する被記録媒体搬送手段１と、被記録媒体搬送手段１が搬送経路を搬送する被記録媒体Ｐに当接して案内する際の被記録媒体Ｐのたるみにより移動する搬送案内移動部材２と、搬送案内移動部材２の図示の矢印（Ｃ）方向の実線の位置から破線の位置方向に移動する移動量で被記録媒体搬送手段１が被記録媒体Ｐを回動して搬送する搬送速度を調節する搬送速度調節手段３を備えている。
図１に図示の矢印（Ｂ）方向に給送される被記録媒体（記録用紙）Ｐの先端が、搬送案内移動部材２に当接してあたり、被記録媒体Ｐのたるみ量が形成されていく過程で、被記録媒体Ｐが押していく力を利用して、搬送案内移動部材２の図示の矢印（Ｃ）方向の実線の位置から破線の位置方向に移動するようになっている。
図２に、被記録媒体である記録用紙のサイズがＡ４幅以上の搬送案内移動部材を被記録媒体搬送手段が被記録媒体を搬送する搬送経路の方向から見た図を示している。
これは、図２で斜線部にあたる箇所、ほぼ搬送案内移動部材２の中央部に移動し、搬送案内移動部材２の図１に示す矢印（Ｃ）方向の実線の位置から破線の位置まで移動して変化するようになっている。
従って、各種の被記録媒体Ｐや様々な環境変化による被記録媒体Ｐの搬送速度の線速のばらつきへの対応力が強く、搬送されて記録画像が形成される被記録媒体Ｐの位置ずれやショックジターに対して、安定な制御が行われて高品質の記録画像の形成が行われるようにする被記録媒体搬送装置０を提供することが出来るようになった。
被記録媒体搬送手段１は、被記録媒体Ｐが図示の矢印（Ｄ）方向に搬送される搬送経路における搬送案内移動部材２の上流側に配置された上流側被記録媒体搬送手段１ａと搬送案内移動部材２の下流側に配置された下流側被記録媒体搬送手段１ｂを備え、搬送速度調節手段３により、搬送案内移動部材２の図示の矢印（Ｃ）方向の実線の位置から破線の位置方向に移動する移動量で被記録媒体Ｐを搬送する搬送速度を調節するようになっている。
従って、各種の被記録媒体Ｐや様々な環境変化による被記録媒体Ｐの搬送速度の線速のばらつきへの対応力が強く、確実に搬送されて記録画像が形成される被記録媒体Ｐの位置ずれやショックジターに対して、更に、安定な制御が行われて高品質の記録画像の形成が行われるようにする被記録媒体搬送装置０を提供することが出来るようになった。
【００１０】
搬送案内移動部材２は、固定して被記録媒体Ｐを案内する搬送案内固定部材４と対向して搬送経路を介して配置されている。
従って、各種の被記録媒体Ｐや様々な環境変化による被記録媒体Ｐの搬送速度の線速のばらつきへの対応力が強く、確実に搬送経路を搬送されて記録画像が形成される被記録媒体Ｐの位置ずれやショックジターに対して、更に、安定な制御が行われて高品質の記録画像の形成が行われるようにする被記録媒体搬送装置０を提供することが出来るようになった。
搬送案内移動部材２は、搬送案内移動部材２の移動する移動量を確実に計測して検知する移動量検知部材５のセンサを具備している。
移動量検知部材５のセンサによって、搬送案内移動部材２の移動量（Ｘ）を確実に計測して検知して検知データとして搬送速度調節手段３に送るようになっている。
従って、搬送案内移動部材２の移動量が確実に計測されて、各種の被記録媒体Ｐや、様々な環境変化による被記録媒体Ｐの搬送速度の線速のばらつきへの対応力が強く、搬送されて記録画像が形成される被記録媒体Ｐの位置ずれやショックジターに対して、安定な制御が行われて高品質の記録画像の形成が行われるようにする被記録媒体搬送装置０を提供することが出来るようになった。
搬送案内移動部材２は、戻し部材６の簡単な構成の偏心カム６ａを具備して、偏心カム６ａを図示しない駆動源により、図１に示す矢印（Ｅ）方向に回転駆動することによって、被記録媒体Ｐのたるみにより移動する前の破線の位置方向から実線の位置に戻されるようになっている。
従って、搬送経路を搬送される被記録媒体Ｐが搬送案内移動部材２を通過するたびに、搬送案内移動部材２が初期状態の位置に簡単な機構で戻されて、各種の被記録媒体Ｐや様々な環境変化による被記録媒体Ｐの搬送速度の線速のばらつきへの対応力が強く、搬送経路を搬送されて記録画像が形成される被記録媒体Ｐの位置ずれやショックジターに対して、安定な制御が行われて高品質の記録画像の形成が行われるようにする被記録媒体搬送装置０を提供することが出来るようになった。
【００１１】
図３は、本発明の実施形態に係る被記録媒体搬送装置を具備する画像形成装置を説明する説明図である。
図３において、搬送される被記録媒体Ｐに記録画像を形成する画像形成装置５０は、搬送される被記録媒体Ｐに記録画像を形成する画像形成部５１と、画像形成部５１で記録画像を形成する被記録媒体Ｐを搬送する被記録媒体搬送装置０を具備している。
従って、各種の被記録媒体Ｐや様々な環境変化による被記録媒体Ｐの搬送速度の線速のばらつきへの対応力が強く、搬送されて記録画像が形成される被記録媒体Ｐの位置ずれやショックジターに対して、安定な制御が行われて高品質の記録画像の形成が行われる被記録媒体搬送装置０を具備する画像形成装置５０を提供することが出来るようになった。
画像形成装置５０における被記録媒体搬送装置０は、被記録媒体Ｐが図示の矢印（Ｄ）方向に搬送される搬送経路の上流側に配置された上流側被記録媒体搬送装置０ａと下流側に配置された下流側被記録媒体搬送装置０ｂを具備して、搬送速度調節手段３の上流側搬送速度調節手段３ａと下流側搬送速度調節手段３ｂにより、各搬送案内移動部材２の図示の矢印（Ｃ）方向の実線の位置から破線の位置方向に移動する移動量で、被記録媒体Ｐを搬送する搬送速度を調節するようになっている。
従って、各種の被記録媒体Ｐや様々な環境変化による被記録媒体Ｐの搬送速度の線速のばらつきへの対応力が強く、確実に搬送されて記録画像が形成される被記録媒体Ｐの位置ずれやショックジターに対して、更に、安定な制御が行われて高品質の記録画像の形成が行われる被記録媒体搬送装置０を具備する画像形成装置５０を提供することが出来るようになった。
【００１２】
画像形成部５１は、電子写真方式の作像プロセスでトナーの記録画像を被記録媒体Ｐに形成するようになっている。
従って、各種の被記録媒体Ｐや様々な環境変化による被記録媒体Ｐの搬送速度の線速のばらつきへの対応力が強く、搬送されて記録画像が形成される被記録媒体Ｐの位置ずれやショックジターに対して、安定な制御が行われて、高速で、更に、高品質の記録画像の形成が行われる被記録媒体搬送装置０を具備する画像形成装置５０を提供することが出来るようになった。
画像形成装置５０は、被記録媒体Ｐにトナーの記録画像を形成する画像形成部５１と、画像形成部５１を下方で支持して被記録媒体Ｐを図示の矢印（Ｂ）方向に給送する被記録媒体給送部５２と、画像形成部５１の上面に形成した被記録媒体Ｐを排出して収納する排紙トレイ５３からなるフルカラーの記録画像を形成するフルカラープリンタである。
被記録媒体給送部５２は、各段に給紙カセット５２ａの給紙カセット５２ａ１と給紙カセット５２ａ２を備えている。更に、必要に応じて図示しない別の給紙装置を設置することも出来る。
画像形成装置５０は、画像形成部５１にイエロー作像ユニット５１Ｙ、マゼンタ作像ユニット５１Ｍ、シアン作像ユニット５１Ｃ、ブラック作像ユニット５１Ｂｋの４個が着脱可能に搭載されて、電子写真方法の作像プロセスで被記録媒体Ｐにトナーの記録画像を形成することが出来るようになっている。
画像形成部５１では、ベルト状をした中間転写体としての中間転写ベルト５１ｇが所定の走行経路に沿ってエンドレスに各支持ローラに張架されており、中間転写ベルト回転駆動ローラ５１ｇ１によって図示の矢印（Ａ）方向へ回転駆動される。
【００１３】
中間転写ベルト５１ｇの下側の走行面に沿って、４つの各作像部にイエロー作像ユニット５１Ｙ、マゼンタ作像ユニット５１Ｍ、シアン作像ユニット５１Ｃ、ブラック作像ユニット５１Ｂｋが着脱可能に搭載されて配置されている。
４個のイエロー作像ユニット５１Ｙ、マゼンタ作像ユニット５１Ｍ、シアン作像ユニット５１Ｃ、ブラック作像ユニット５１Ｂｋの各作像部では、像担持体５１ａのドラム形状の感光体ドラムの周囲に、感光体ドラムの表面５１ａ１の帯電処理を行う帯電手段５１ｂ、画像情報を像担持体５１ａのドラム形状の感光体ドラムの表面５１ａ１にレーザ光で照射する潜像形成手段５１ｃ、像担持体５１ａのドラム形状の感光体ドラムの表面５１ａ１に露光されて形成された静電潜像を顕像化して現像する現像手段５１ｄ、及び、像担持体５１ａのドラム形状の感光体ドラムの表面５１ａ１上に残留するトナーを除去回収するクリーニング手段５１ｆの感光体クリーニングユニット５１ｆ１が配置されており、作像プロセスとしては、中間転写ベルト５１ｇが、１回転して１つのカラー画像を形成するようになっている。
最初に、イエロー作像ユニット５１Ｙの配置された作像部で、現像手段５１ｄによってイエローＹ色のトナーを現像し、転写手段５１ｅの一次転写ローラ５１ｅ１によって中間転写ベルト５１ｇに転写する。
次に、マゼンタ作像ユニット５１Ｍの配置された作像部で、現像手段５１ｄによってマゼンタＭ色のトナーを現像し、転写手段５１ｅの一次転写ローラ５１ｅ１によって中間転写ベルト５１ｇに転写する。
次に、シアン作像ユニット５１Ｃの配置された作像部で、現像手段５１ｄによってシアンＣ色のトナーを現像し、転写手段５１ｅの一次転写ローラ５１ｅ１によって中間転写ベルト５１ｇに転写する。
最後に、ブラック作像ユニット５１Ｂｋの配置された作像部で、現像手段５１ｄによってブラックＢｋ色のトナーを現像し、転写手段５１ｅの一次転写ローラ５１ｅ１によって中間転写ベルト５１ｇに転写させる。
【００１４】
４個のイエロー作像ユニット５１Ｙ、マゼンタ作像ユニット５１Ｍ、シアン作像ユニット５１Ｃ、ブラック作像ユニット５１Ｂｋの作像部が、近接する中間転写ベルト５１ｇの下側走行面とは異なった中間転写ベルト５１ｇの左右側の走行面上には、中間転写ベルト５１ｇ上に重ね転写された４色のトナーの記録画像を被記録媒体Ｐに二次転写する転写手段５１ｅの二次転写ローラ５１ｅ２、二次転写後の中間転写ベルト５１ｇ表面に残留するトナーを除去回収するクリーニング手段５１ｆの中間転写ベルトクリーニングユニット５１ｆ２がそれぞれ配置されている。
転写手段５１ｅの二次転写ローラ５１ｅ２にて、重ねトナーの記録画像の二次転写を受けた被記録媒体Ｐを通過させた、図示の矢印（Ｄ）方向に搬送される搬送経路の下流側に、トナーの記録画像を加熱定着の処理をする定着手段５１ｉの加熱ローラ５１ｉ１と加圧ローラ５１ｉ２が配置されている。
そして、定着手段５１ｉの加熱ローラ５１ｉ１と加圧ローラ５１ｉ２を通過した被記録媒体Ｐは排紙ローラ５１ｊにより排紙トレイ５３に排紙して収納される。
被記録媒体給送部５２においては、給紙カセット５２ａの給紙カセット５２ａ１と給紙カセット５２ａ２に未使用の被記録媒体Ｐが収容されており、回動可能に支持された底板５２ｂの底板５２ｂ１と底板５２ｂ２が、最上の被記録媒体Ｐをピックアップローラ５２ｃのピックアップローラ５２ｃ１とピックアップローラ５２ｃ２が当接可能な位置まで上昇する。
ピックアップローラ５２ｃのピックアップローラ５２ｃ１、又はピックアップローラ５２ｃ２の回転により、最上の被記録媒体Ｐは給紙カセット５２ａの給紙カセット５２ａ１、又は給紙カセット５２ａ２から送り出され、レジストローラ５１ｈとレジスト従動ローラ５１ｈ１からなる被記録媒体搬送装置０の上流側被記録媒体搬送装置０ａと下流側被記録媒体搬送装置０ｂへと搬送される。
【００１５】
レジストローラ５１ｈは、被記録媒体Ｐの記録用の搬送を、一時止めて、中間転写ベルト５１ｇ上の重ねトナーの記録画像と被記録媒体Ｐの先端との位置関係が所定の位置に一致するようにして、タイミングをとって回転駆動が開始するように制御される。
従って、各種の被記録媒体Ｐや様々な環境変化による被記録媒体Ｐの搬送速度の線速のばらつきへの対応力が強く、確実に搬送されて記録画像が形成される被記録媒体Ｐの位置ずれやショックジターに対して、更に、安定な制御が行われて高速で、更に、高品質の記録画像の形成が行われる画像形成装置５０を提供することが出来るようになった。
図４は、本発明の実施形態に係る被記録媒体搬送装置の上流側被記録媒体搬送装置を具備する画像形成装置の主要部を説明する説明図である。
図４において、上流側被記録媒体搬送装置０ａにおける上流側被記録媒体搬送手段１ａは、被記録媒体Ｐを所定のタイミングに同期して、中間転写ベルト５１ｇ上に重ね転写された４色のトナーの記録画像を転写手段５１ｅの二次転写ローラ５１ｅ２に搬送するレジストローラ５１ｈとレジスト従動ローラ５１ｈ１を兼用している。
上流側被記録媒体搬送装置０ａにおける下流側被記録媒体搬送手段１ｂも、被記録媒体Ｐに記録画像を回動して転写する転写手段５１ｅの二次転写ローラ５１ｅ２を兼用する構成になっている。
【００１６】
被記録媒体Ｐは、図示の矢印（Ｂ）方向にレジストローラ５１ｈとレジスト従動ローラ５１ｈ１に給送される。
被記録媒体Ｐの先端が、実線で図示する搬送案内移動部材２に当接して、被記録媒体Ｐのたるみ量ができていく過程で、被記録媒体Ｐの押していく力を利用して搬送案内移動部材２が図示する矢印（Ｃ）方向に移動して破線で図示する状態に移動する。
そして、図２で斜線部にあたる箇所、ほぼ搬送案内移動部材２の中央部に移動し、搬送案内移動部材２の図示の矢印（Ｃ）方向の実線の位置から破線の位置まで移動して変化するようになっている。
搬送案内移動部材２は、搬送案内移動部材２の移動する移動量（Ｘ）を確実に計測して検知する移動量検知部材５のセンサを具備している。
移動量検知部材５のセンサによって、搬送案内移動部材２の移動量（Ｘ）を確実に計測して検知して検知データとして搬送速度調節手段３の上流側搬送速度調節手段３ａに送るようになっている。
搬送案内移動部材２は、戻し部材６の簡単な構成の偏心カム６ａを具備して、偏心カム６ａを駆動モータ６ｂにより図示の矢印（Ｅ）方向に回転駆動することによって、被記録媒体Ｐのたるみにより移動する前の破線の位置方向から実線の初期状態の位置に戻されるようになっている。
従って、各種の被記録媒体Ｐや様々な環境変化による被記録媒体Ｐの搬送速度の線速のばらつきへの対応力が強く、搬送されて記録画像が転写して形成される被記録媒体Ｐの位置ずれやショックジターに対して、安定な制御が行われて高品質の記録画像の形成が行われる低コストの上流側被記録媒体搬送装置０ａを具備する画像形成装置５０を提供することが出来るようになった。
【００１７】
図５は、本発明の実施形態に係る被記録媒体搬送装置の下流側被記録媒体搬送装置を具備する画像形成装置の他の主要部を説明する説明図である。
図５において、下流側被記録媒体搬送装置０ｂにおける上流側被記録媒体搬送手段１ａは、中間転写ベルト５１ｇ上に重ね転写された４色のトナーの記録画像を被記録媒体Ｐに回動して転写する転写手段５１ｅの二次転写ローラ５１ｅ２と中間転写ベルト回転駆動ローラ５１ｇ１を兼用している。
下流側被記録媒体搬送装置０ｂにおける下流側被記録媒体搬送手段１ｂも、被記録媒体Ｐに記録画像を回動して定着する定着手段５１ｉの加熱ローラ５１ｉ１と加圧ローラ５１ｉ２を兼用する構成になっている。
被記録媒体Ｐの先端が、実線で図示する搬送案内移動部材２に当接して、被記録媒体Ｐのたるみ量ができていく過程で、被記録媒体Ｐの押していく力を利用して搬送案内移動部材２が図示する矢印（Ｃ）方向に移動して破線で図示する状態に移動する。
そして、図２で斜線部にあたる箇所、ほぼ搬送案内移動部材２の中央部に移動し、搬送案内移動部材２の図示の矢印（Ｃ）方向の実線の位置から破線の位置まで移動して変化するようになっている。
搬送案内移動部材２は、搬送案内移動部材２の移動する移動量を確実に計測して検知する移動量検知部材５のセンサを具備している。
移動量検知部材５のセンサによって、搬送案内移動部材２の移動量Ｙを確実に計測して検知して検知データとして、搬送速度調節手段３の下流側搬送速度調節手段３ｂに送るようになっている。
搬送案内移動部材２は、戻し部材６の簡単な構成の偏心カム６ａを具備して、偏心カム６ａを駆動モータ６ｂにより図示の矢印（Ｅ）方向に回転駆動することによって、被記録媒体Ｐのたるみにより移動する前の、破線の位置方向から実線の初期状態の位置に戻されるようになっている。
従って、各種の被記録媒体Ｐや様々な環境変化による被記録媒体Ｐの搬送速度の線速のばらつきへの対応力が強く、搬送されて記録画像が定着して形成される被記録媒体Ｐの位置ずれやショックジターに対して、安定な制御が行われて高品質の記録画像の形成が行われる低コストの被下流側記録媒体搬送装置０ｂを具備する画像形成装置５０を提供することが出来るようになった。
【００１８】
図６は、本発明の実施形態に係る画像形成装置が具備する被記録媒体搬送装置の上流側被記録媒体搬送装置における搬送速度調節手段の上流側搬送速度調節手段による主要部の動作を説明するフローチャートである。
図６において、画像形成装置５０が具備する被記録媒体搬送装置０の上流側被記録媒体搬送装置０ａにおける搬送速度調節手段３の上流側搬送速度調節手段３ａによって、次のように各種の被記録媒体Ｐや様々な環境変化による被記録媒体Ｐの搬送速度の線速のばらつきへの対応力が強く、搬送されて記録画像が転写して形成される被記録媒体Ｐの位置ずれやショックジターに対して、安定な制御が行われて高品質の記録画像の形成が行われるようになっている（図３と図４を参照）。
スタートで、レジスト駆動モータ５１ｈ２の電源をオン（ＯＮ）で回転駆動を開始してレジストローラ５１ｈにより被記録媒体Ｐを搬送する（ステップ１）。
移動量検知部材５のセンサによって、レジストローラ５１ｈにより搬送される被記録媒体Ｐのたるみ量ができていく過程での押していく力で搬送案内移動部材２が図示する矢印（Ｃ）方向に移動する移動量（Ｘ）を確実に計測して検知する（ステップ２）。
移動量検知部材５のセンサによる検知データに基づき、転写手段５１ｅの二次転写ローラ５１ｅ２の被記録媒体Ｐの搬送速度の線速に対するレジストローラ５１ｈの被記録媒体Ｐの搬送速度の線速を計算する（ステップ３）。
レジストローラ５１ｈが、計算した被記録媒体Ｐの搬送速度の線速になるように、レジスト駆動モータ５１ｈ２の回転数を調整変更する（ステップ４）。
戻し部材６である駆動モータ６ｂの電源をオン（ＯＮ）で回転駆動を開始して、偏心カム６ａを図示の矢印（Ｅ）方向に回転駆動することによって、搬送案内移動部材２を被記録媒体Ｐのたるみにより移動する前の破線の位置方向から実線の初期状態の位置に戻して（ステップ５）、エンドで終了する。
【００１９】
図７は、本発明の実施形態に係る画像形成装置が具備する被記録媒体搬送装置の下流側被記録媒体搬送装置における搬送速度調節手段の下流側搬送速度調節手段による他の主要部の動作を説明するフローチャートである。
図７において、画像形成装置５０が具備する被記録媒体搬送装置０の下流側被記録媒体搬送装置０ｂにおける搬送速度調節手段３の下流側搬送速度調節手段３ｂによって、次のように各種の被記録媒体Ｐや様々な環境変化による被記録媒体Ｐの搬送速度の線速のばらつきへの対応力が強く、搬送されて記録画像が定着して形成される被記録媒体Ｐの位置ずれやショックジターに対して、安定な制御が行われて高品質の記録画像の形成が行われるようになっている（図３と図５を参照）。
スタートで、レジスト駆動モータ５１ｈ２の電源をオン（ＯＮ）で回転駆動を開始してレジストローラ５１ｈにより被記録媒体Ｐを搬送する（ステップ１１）。
移動量検知部材５のセンサによって、転写手段５１ｅの二次転写ローラ５１ｅ２により搬送される被記録媒体Ｐのたるみ量ができていく過程での押していく力で搬送案内移動部材２が図示する矢印（Ｃ）方向に移動する移動量Ｙを確実に計測して検知する（ステップ１２）。
移動量検知部材５のセンサによる検知データに基づき、転写手段５１ｅの二次転写ローラ５１ｅ２の被記録媒体Ｐの搬送速度の線速に対する定着手段５１ｉの加熱ローラ５１ｉ１と加圧ローラ５１ｉ２の線速を計算する（ステップ１３）。
定着手段５１ｉの加熱ローラ５１ｉ１と加圧ローラ５１ｉ２が、計算した被記録媒体Ｐの搬送速度の線速になるように、定着手段５１ｉの定着回転駆動モータ５１ｉ３の回転数を調整変更する（ステップ１４）。
戻し部材６である駆動モータ６ｂの電源をオン（ＯＮ）で回転駆動を開始して、偏心カム６ａを図示の矢印（Ｅ）方向に回転駆動することによって、搬送案内移動部材２を被記録媒体Ｐのたるみにより移動する前の破線の位置方向から実線の初期状態の位置に戻して（ステップ１５）、エンドで終了する。
【００２０】
図８は、本発明の実施形態に係る画像形成装置が具備する被記録媒体搬送装置の上流側被記録媒体搬送装置と下流側被記録媒体搬送装置における搬送速度調節手段の上流側搬送速度調節手段と下流側搬送速度調節手段による他の主要部の動作を説明するフローチャートである。
図８において、画像形成装置５０が具備する被記録媒体搬送装置０の上流側被記録媒体搬送装置０ａと下流側被記録媒体搬送装置０ｂにおける搬送速度調節手段３の上流側搬送速度調節手段３ａと下流側搬送速度調節手段３ｂによって、次のように各種の被記録媒体Ｐや様々な環境変化による被記録媒体Ｐの搬送速度の線速のばらつきへの対応力が強く、搬送されて記録画像が転写して定着して形成される被記録媒体Ｐの位置ずれやショックジターに対して、安定な制御が行われて高品質の記録画像の形成が行われるようになっている（図３、図４と図５を参照）。
スタートで、レジスト駆動モータ５１ｈ２の電源をオン（ＯＮ）で回転駆動を開始してレジストローラ５１ｈにより被記録媒体Ｐを搬送する（ステップ２１）。
上流側被記録媒体搬送装置０ａにおける移動量検知部材５のセンサによって、レジストローラ５１ｈにより搬送される被記録媒体Ｐのたるみ量ができていく過程での押していく力で搬送案内移動部材２が図示する矢印（Ｃ）方向に移動する移動量（Ｘ）を確実に計測して検知する（ステップ２２）。
下流側被記録媒体搬送装置０ｂにおける移動量検知部材５のセンサによって、転写手段５１ｅの二次転写ローラ５１ｅ２により搬送される被記録媒体Ｐのたるみ量ができていく過程での押していく力で搬送案内移動部材２が図示する矢印（Ｃ）方向に移動する移動量Ｙを確実に計測して検知する（ステップ２３）。
移動量検知部材５のセンサによる移動量（Ｘ）の検知データと移動量Ｙの検知データに基づき、転写手段５１ｅの二次転写ローラ５１ｅ２の被記録媒体Ｐの搬送速度の線速に対するレジストローラ５１ｈの被記録媒体Ｐの搬送速度の線速と定着手段５１ｉの加熱ローラ５１ｉ１と加圧ローラ５１ｉ２の被記録媒体Ｐの搬送速度の線速を計算する（ステップ２４）。
レジストローラ５１ｈと定着手段５１ｉの加熱ローラ５１ｉ１と加圧ローラ５１ｉ２が計算した被記録媒体Ｐの搬送速度の線速になるように、レジスト駆動モータ５１ｈ２の回転数と定着回転駆動モータ５１ｉ３の回転数を調整変更する（ステップ２５）。
被記録媒体搬送装置０の上流側被記録媒体搬送装置０ａと下流側被記録媒体搬送装置０ｂにおける各戻し部材６である駆動モータ６ｂの電源をオン（ＯＮ）で回転駆動を開始して、上流側被記録媒体搬送装置０ａと下流側被記録媒体搬送装置０ｂにおける各偏心カム６ａを図示の矢印（Ｅ）方向に回転駆動することによって、上流側被記録媒体搬送装置０ａと下流側被記録媒体搬送装置０ｂにおける各搬送案内移動部材２を被記録媒体Ｐのたるみにより移動する前の、破線の位置方向から実線の各初期状態の位置に戻して（ステップ２６）、エンドで終了する。
【図面の簡単な説明】
【００２１】
【図１】本発明の実施形態に係る被記録媒体搬送装置を説明する説明図。
【図２】本発明の実施形態に係る被記録媒体搬送装置の主要部の状態を説明する説明図。
【図３】本発明の実施形態に係る被記録媒体搬送装置を具備する画像形成装置を説明する説明図。
【図４】本発明の実施形態に係る被記録媒体搬送装置の上流側被記録媒体搬送装置を具備する画像形成装置の主要部を説明する説明図。
【図５】本発明の実施形態に係る被記録媒体搬送装置の下流側被記録媒体搬送装置を具備する画像形成装置の他の主要部を説明する説明図。
【図６】本発明の実施形態に係る画像形成装置が具備する被記録媒体搬送装置の上流側被記録媒体搬送装置における搬送速度調節手段の上流側搬送速度調節手段による主要部の動作を説明するフローチャート。
【図７】本発明の実施形態に係る画像形成装置が具備する被記録媒体搬送装置の下流側被記録媒体搬送装置における搬送速度調節手段の下流側搬送速度調節手段による他の主要部の動作を説明するフローチャート。
【図８】本発明の実施形態に係る画像形成装置が具備する被記録媒体搬送装置の上流側被記録媒体搬送装置と下流側被記録媒体搬送装置における搬送速度調節手段の上流側搬送速度調節手段と下流側搬送速度調節手段による他の主要部の動作を説明するフローチャート。
【図９】従来の被記録媒体搬送装置と被記録媒体搬送装置を具備する画像形成装置の主要部を説明する説明図。
【符号の説明】
【００２２】
０  被記録媒体搬送装置、
０ａ  上流側被記録媒体搬送装置、
０ｂ  下硫側被記録媒体搬送装置
１  被記録媒体搬送手段、
１ａ  上流側被記録媒体搬送手段、
１ｂ  下流側被記録媒体搬送手段
２  搬送案内移動部材
３  搬送速度調節手段、
３ａ  上流側搬送速度調節手段、
３ｂ  下流側搬送速度調節手段
４  搬送案内固定部材
５  移動量検知部材
６  戻し部材、
６ａ  偏心カム、
６ｂ  駆動モータ
５０  画像形成装置
５１  画像形成部、
５１Ｙ  イエロー作像ユニット、
５１Ｍ  マゼンタ作像ユニット、
５１Ｃ  シアン作像ユニット、
５１Ｂｋ  ブラック作像ユニット、
５１ａ  像担持体、
５１ａ１  表面、
５１ｂ  帯電手段、
５１ｃ  潜像形成手段、
５１ｄ  現像手段、
５１ｅ  転写手段、
５１ｅ１  一次転写ローラ、
５１ｅ２  二次転写ローラ、
５１ｆ  クリーニング手段、
５１ｆ１  感光体クリーニングユニット、
５１ｆ２  中間転写ベルトクリーニングユニット、
５１ｇ  中間転写ベルト、
５１ｇ１  中間転写ベルト回転駆動ローラ、
５１ｈ  レジストローラ、
５１ｈ１  レジスト従動ローラ、
５１ｈ２  レジスト駆動モータ、
５１ｉ  定着手段、
５１ｉ１  加熱ローラ、
５１ｉ２  加圧ローラ、
５１ｉ３  定着回転駆動モータ、
５１ｊ  排紙ローラ
５２  被記録媒体給送部、
５２ａ  給紙カセット、
５２ａ１  給紙カセット、
５２ａ２  給紙カセット、
５２ｂ  底板、
５２ｂ１  底板、
５２ｂ２  底板、
５２ｃ  ピックアップローラ、
５２ｃ１  ピックアップローラ、
５２ｃ２  ピックアップローラ
５３  排紙トレイ
１００  被記録媒体搬送装置
１５０  画像形成装置
１５１  画像形成部、
１５１ｅ  転写手段、
１５１ｅ１  一次転写ローラ、
１５１ｅ２  二次転ローラ、
１５１ｆ  クリーニング手段、
１５１ｇ  中間転写ベルト、
１５１ｇ１  中間転写駆動ローラ、
１５１ｇ２  中間転写従動ローラ、
１５１ｇ３  入口ローラ、
１５１ｈ  レジストローラ、
１５１ｈ１  レジスト従動ローラ、
１５１ｉ  搬送ガイド板、
１５１ｉ１  搬送ガイド板、
１５１ｉ２  搬送ガイド板、
１５１ｉ３  入口ガイド板、
１５１ｉ４  搬送ガイド板、
１５１ｉ５  搬送ガイド板、
１５１ｊ  定着手段、
１５１ｊ１  加熱定着ローラ、
１５１ｊ２  加圧ローラ、
１５１ｋ  排紙ローラ
１５２  給紙カセット、
１５２ａ  給紙コロ、
１５２ｂ  給紙ガイド板、
１５２ｃ  給紙ガイド板
１５３  排紙トレイ
【図１】
2006240756.tif 000003
【図２】
2006240756.tif 000004
【図３】
2006240756.tif 000005
【図４】
2006240756.tif 000006
【図５】
2006240756.tif 000007
【図６】
2006240756.tif 000008
【図７】
2006240756.tif 000009
【図８】
2006240756.tif 000010
【図９】
2006240756.tif 000011